(57)【要約】【課題】本発明の課題は、外部から吐水部へ加えられた力から駆動部を保護することにある。 【解決手段】    出力軸を有する駆動部と、前記駆動部の前記出力軸の動きが伝達され設定された作動範囲を往復動可能な吐水部と、を有するシャワー装置において、前記吐水部の前記作動範囲を超える範囲に、前記吐水部の可動範囲を制限するための規制部を設けたことを特徴とする、シャワー装置。【選択図】  図１
2010167166.tif 000002
【特許請求の範囲】
【請求項１】
出力軸を有する駆動部と、
前記駆動部の前記出力軸の動きが伝達され設定された作動範囲を往復動可能な吐水部と、
を有するシャワー装置において、
前記吐水部の前記作動範囲を超える範囲に、前記吐水部の可動範囲を制限するための規制部を設けたことを特徴とする、シャワー装置。
【請求項２】
出力軸を有する駆動部と、
前記駆動部の前記出力軸の動きが伝達され設定された作動範囲を往復動可能な吐水部と、
前記駆動部の動きを前記吐水部へ伝達し設定された作動範囲を往復動可能なリンク機構と、
を有するシャワー装置において、
前記リンク機構の前記作動範囲を超える範囲に、前記リンク機構の可動範囲を制限するための規制部を設けたことを特徴とする、シャワー装置。
【請求項３】
設定された作動範囲を往復動可能な出力軸を有する駆動部と、
前記駆動部の前記出力軸の動きが伝達され設定された作動範囲を往復動可能な吐水部と、
を有するシャワー装置において、
前記駆動部の前記出力軸の前記作動範囲を超える範囲に、前記駆動部の前記出力軸の可動範囲を制限するための規制部を設けたことを特徴とする、シャワー装置。
【請求項４】
前記駆動部は、ハウジングを有し、
流体を前記ハウジングへ供給することで発生する流体力により、前記駆動部の前記出力軸を、設定された範囲において往復動可能とし、
前記規制部は、前記駆動部に供給された前記流体に接しない箇所に設けられたこと、
を特徴とする、請求項１〜３いずれかに記載のシャワー装置。
【請求項５】
前記駆動部は、
内部に空間を有するハウジングと、  
前記空間を第１及び第２の圧力室に分割しつつ前記空間内を移動可能とされ、内部に中子内流路を有する中子と、  
前記中子内流路に連通し前記ハウジングの外側に至る吐水流路を有する吐水筒体と、  
前記第１の圧力室に水を導入する第１の入水口と、
前記第２の圧力室に水を導入する第２の入水口と、
前記第１の圧力室から前記中子内流路に水を導入する第１の導入口と、
前記第２の圧力室から前記中子内流路に水を導入する第２の導入口と、
前記第１及び第２の導入口の開度を変化させる弁体と、  
前記中子がその移動域における前記第１の圧力室側の端部に到達したときに、前記第１の圧力室内の圧力を前記第２の圧力室内の圧力よりも高くし、前記中子がその移動域における前記第２の圧力室側の端部に到達したときに、前記第２の圧力室内の圧力を前記第１の圧力室内の圧力よりも高くするように、前記弁体を作動させて前記第１及び第２の導入口の開度を変更する制御手段と、  
を有し、
前記規制部はハウジング内部に設けられたこと、
を特徴とする、請求項１〜３のいずれか１つに記載のシャワー装置。
【請求項６】
前記制御手段は、弾性部材からなり、
前記規制部は、前記制御手段の弾性変位量を制限するために設けられたこと、
を特徴とする請求項５に記載のシャワー装置。
【発明の詳細な説明】
【技術分野】
【０００１】
本発明は、散水板が往復動するシャワー装置に係り、特に駆動部やリンク機構に過大な負荷がかからないようにするのに好適なシャワー装置に関する発明である。 
【背景技術】
【０００２】
従来より、駆動部と吐水部を有し、 吐水部を首振りさせながら吐水するシャワー装置はあった。 （例えば、特許文献１参照。）
このような吐水部を動かしながら吐水するシャワー装置は、駆動部で発生した力を吐水部へ 伝達しながら吐水させるものである。しかし、吐水部は人が触ることができる位置にあるため、 吐水部が押されるなどすると、吐水部に負荷がかかる。その負荷が駆動部へ伝えられ、駆動部へ必要以上の負荷がかけられ、シャワー装置が壊れてしまう という問題点があった。
【特許文献１】実公平４-４６８１９
【発明の開示】
【発明が解決しようとする課題】
【０００３】
本発明は、上記問題を解決するためになされたもので、本発明の課題は、吐水部に加えられる力から駆動部等を保護することにある。
【課題を解決するための手段】
【０００４】
上記目的を達成するための１態様によれば、出力軸を有する駆動部と、前記駆動部の前記出力軸の動きが伝達され設定された作動範囲を往復動可能な吐水部と、を有するシャワー装置において、前記吐水部の前記作動範囲を超える範囲に、前記吐水部の可動範囲を制限するための規制部を設けたことを特徴とするシャワー装置が提供される。
【発明の効果】
【０００５】
本発明によれば、駆動部からの力はきちんと吐水部へと伝えつつも、吐水部に外部から力が加えられても駆動部等に過大な負荷がかからず、駆動部等を破壊から守り、耐久性能の低下を防ぐことが可能となった。
【発明を実施するための最良の形態】
【０００６】
以下、図面を参照しつつ、本発明の実施形態について説明する。なお、各図面中、同様の構成要素には同一の符号を付して詳細な説明は適宜省略する。
【０００７】
なお、本明細書中における往復動作の作動範囲とは、駆動部、リンク機構、または吐水部が、駆動部の通常の駆動時に動く範囲のことを表す。一方、可動範囲とは、作動範囲よりも広い範囲であって、外部からの力によって駆動部、リンク機構、または吐水部が動き得る範囲のことを表す。また、本明細書中におけるリンク機構とは、力や向きや速度を変換し、伝達する機能を有するものを言う。
【０００８】
また、本明細書中における往復動とは、直線的に往復する動き、および、１回転に満たない範囲を往復回動する動きのことを表す。
【０００９】
まず、本発明の第１の実施形態について説明する。
図１は、本実施形態に係るシャワー装置を例示する斜視図であり、図２は、図１のシャワー装置の吐水部の往復動及び規制部の役割を説明するための模式図である。
【００１０】
図１で示すように、本実施形態に係るシャワー装置においては、壁面の表側に固定され往復動が取り出せる駆動部２の両側から駆動部出力軸３が延出しており、その駆動部出力軸の端にはそれぞれ吐水部４が設けられている。規制部５は吐水部４の駆動部出力軸３が備えられている面とは反対側に設けられている。吐水部４は往復動する駆動部２の動力が駆動部出力軸３を介して直接伝達され、左右に往復動をしながら吐水することができる。駆動部からの出力によって、往復動を行う際には、図２（ａ）から（ｂ）に至る動きを繰り返し、吐水部４と規制部５とは衝突しない。
【００１１】
しかし、吐水部４もしくは駆動部出力軸３を外部から動かされた場合には、図２の（ａ）および（ｂ）の状態以上に、吐水部４もしくは駆動部出力軸３が動き得る。その際、吐水部４と規制部５が衝突することにより、吐水部４もしくは駆動部出力軸３の可動範囲を制限することができる。
【００１２】
これにより、吐水部４と駆動部２のハウジングが意図せずぶつかって駆動部２が破損したり、吐水部４と駆動部出力軸３とが外れたりして、シャワー装置全体が意図せず破損するのを防ぐことができる。
【００１３】
更に、本実施形態では、折りたたみ可能な収納カバー６を設けることで、非使用時には、収納カバー６を規制部５を覆うようにかぶせ、吐水部４と駆動部出力軸３等の可動部分に必要以上に負荷をかけないようにすることもできる。
【００１４】
なお、本実施形態においては、吐水部４の両外側、すなわち駆動部出力軸３が備えられている面とは反対側に規制部５が設けられた例を示したが、往復動作を妨げずに、外力により、意図せず駆動部等が破損する事から守るために可動範囲を規制するという同様の効果を発揮するものであればよく、例えば図３のように吐水部４の両内側、すなわち駆動部出力軸３が備えられている側に設けられていたり、図４のように片側の吐水部４の内外両側に設けられていたりしても良い。
【００１５】
また、駆動部２の動力源は、往復動が得られるものであれば、電気でも、流体力によるものでも良く、例えば、ステッピングモーター、直動スライダー、回転水車（羽根車）への入水方向を切り替えるもの、水圧シリンダへの入水方向を切替るもの、水圧シリンダ内部に方向切替機構を有しているもの等、様々な形態が適用できる。吐水部への湯水の供給は、可撓性のチューブや摺動性の高いパッキンを介しても良く、駆動部や駆動部出力軸を介しても良い。このとき、後者の場合は駆動部を経た湯水が吐水部に供給されることになる。
【００１６】
特に、駆動部出力軸が湯水の流体力により往復動する場合には、ハウジングと独立して設けられた吐水部の規制部により、駆動部ハウジング内部の構成部材の可動範囲を制限する事ができ、ハウジング内部に過大な力がかかるのを防ぐ事ができる。これにより、駆動部のハウジングの破損を回避し、漏水や駆動部の性能低下を防止することができる。
【００１７】
次に、本発明の第２の実施形態について説明する。
図５は、本実施形態に係るシャワー装置を例示する側面図である。
【００１８】
図５で示すように、本実施形態に係るシャワー装置においては、浴室の壁裏に固定され直線的な往復動が取り出せる駆動部２の上面側に駆動部出力軸３が延出している。駆動部出力軸の先端に設けられた係合穴１１と、吐水部４の背面側の一部に固定された係合ピン１２によってなるリンク機構１３により、パネル型の吐水部４は、壁面１５の一部に対し回動可能に保持されており、吐水部回動軸１４を中心とした往復回動運動をしながら吐水することができる。
【００１９】
吐水部４の裏側の空間のうち、駆動部２の駆動時に吐水部４と衝突しないような位置に、規制部５が固定配置されている。
吐水部４は浴室壁面１５に対し、振り角の中心では概ねフラットにできるように配置される。駆動部２を停止した状態では、停止状態の吐水部４から吐水される。その状態で吐水部４の一部を押すと、所望の向きに調整して、吐水させることもできる。
【００２０】
吐水部４を浴室側から一定角度以上押すと、吐水部４と規制部５が衝突し、それ以上吐水部が動かない。
これにより、外部から、人為的に吐水部４を動かされても、所定の角度以上は動かないようにすることができ、吐水部４と駆動部出力軸３の衝突により、駆動部出力軸３が破損するのを回避できる。また、リンク機構１３の係合穴１１や係合ピン１２等に想定以上の負荷が掛かって、破損したり、駆動部出力軸への悪影響を及ぼしたりすることを防ぐこともでき、長寿命化も期待できる。
【００２１】
また、規制部５を設け、吐水部４の回動角度を制限することで、壁面１５と吐水部４との間にできる隙間は一定以上には広がらず、不本意にも指を挟み込んでしまうという事に対する安全対策としても効果的である。
【００２２】
また、駆動部２の動力源は、往復動が得られるものであれば、電気でも、 流体力によるものでも良く、例えば、ステッピングモーターや直動スライダー、回転水車（羽根車）への入水方向を切り替えるもの、水圧シリンダへの入水方向を切替るもの、水圧シリンダ内部に方向切替機構を有しているもの等様々な形態で適応可能である。吐水部への湯水の供給は、可撓性のチューブや摺動性の高いパッキンを介しても良く、駆動部や駆動部出力軸を介しても良い。このとき、後者の場合は駆動部の動力源となった湯水が供給されることになる。
【００２３】
特に、駆動部出力軸が湯水の流体力により往復動する場合には、ハウジングと独立して設けられた吐水部の規制部により、駆動部ハウジング内部の構成部材の可動範囲を制限する事ができ、ハウジング内部に過大な力がかかるのを防ぐ事ができる。これにより、駆動部のハウジングの破損を回避し、漏水や駆動部の性能低下を防止することができる。
【００２４】
なお、規制部５は、円筒形状のものを例示したが、壁裏（天井裏を含む）の空間に設けられる部品の一部に固定でき、吐水部４に当節可能であれば、本形状に限定されない。
【００２５】
次に、本発明の第３の実施形態について説明する。
図６は、本実施形態に係るシャワー装置を例示する側面図である。
【００２６】
図６で示すように、本実施形態に係るシャワー装置においては、浴室の壁裏に固定され直線的な往復動が取り出せる駆動部２の一方に駆動部出力軸３が延出している。駆動部出力軸の先端に取り付けられた係合フック２１と、吐水部４の背面側の一部に固定された係合ピン１２によってなるリンク機構１３により、吐水部４は、壁面１５の一部に対し回動可能に保持されており、吐水部回動軸１４を中心とした往復回動運動をしながら吐水することができる。
【００２７】
係合フック２１の往復動の軌跡の延長線上の空間のうち、駆動部２の駆動時には  係合フック２１と衝突しないような位置に、規制部５が固定配置されている。すなわち、リンク機構の作動範囲を超えた位置で可動範囲を規制するよう規制部５が設けられている。
【００２８】
吐水部４は浴室壁面１５に対し、振り角の中心では概ねフラットにできるように配置される。駆動部２を停止した状態では、停止状態の吐水部４から吐水される。その状態で吐水部４の一部を押すと、所望の向きに調整して、吐水させることもできる。
吐水部４を浴室側から一定角度以上押すと、係合ピン１２を介して、係合フック２１と規制部５が衝突し、それ以上動かすことができなくなる。
【００２９】
これにより、外部から、人為的に吐水部４が動かされても、リンク機構１３を所定以上の範囲を超えて動かすことを防止でき、結果的に吐水部４を所定の角度以上は回らなくすることができる。その結果、吐水部４と駆動部出力軸３の衝突により、出力軸３が破損するのを回避できる。また、リンク機構１３の係合フック２１と係合ピン１２のリンクが外れ、もとの駆動状態に戻せなくなったりするのを防ぐこともでき、長寿命化が期待できる。
【００３０】
なお、本実施例中においては、リンク機構の係合フックとして一方方向が開いたコの字形状の係合フック２１を例示したが、駆動部２から得られた動きを吐水部４に伝達でき、規制部５と当接可能な形状であれば、同等の効果を得られるため、本形状に限定されるものではない。
また、規制部５も円筒形状のものを例示したが、壁裏（天井裏、床下を含む）の空間に固定設置される部品の一部に固定でき、係合フック２１に当接可能であれば、本形状に限定されない。
【００３１】
さらに、本実施例中では、駆動部出力軸３が上方に延出したものを例示したが、上下、左右、斜め、前後どのような方向に延出していても、リンク機構により、散水板の回動の動きに変換できれば、その延出方向は限定されない。また、出力軸３が片側のみに延出したものを例示したが、両側に延出していても良い。
さらにまた、吐水部４の回動方向も上下に往復するものを例示したが、左右や斜め方向に往復回動するよう設置しても同様である。
【００３２】
なお、これまでと同様に、駆動部の動力源は、電気でも、流体力により得られるものでも良い。また、吐水部への湯水の供給は、可撓性のチューブや摺動性の高いパッキンを介しても良く、駆動部や駆動部出力軸を介しても良い。このとき、後者の場合は駆動部の動力源となった湯水が供給されることになる。
【００３３】
特に、駆動部出力軸が湯水の流体力により往復動する場合には、ハウジングと独立して設けられたリンク機構の規制部により、駆動部ハウジング内部の構成部材の可動範囲を制限する事ができ、ハウジング内部に過大な力がかかるのを防ぐ事ができる。これにより、駆動部のハウジングの破損を回避し、漏水や駆動部の性能低下を防止することができる。
【００３４】
次に、本発明の第４の実施形態について説明する。
図７は、本実施形態に係るシャワー装置を例示する側面図である。
【００３５】
図７で示すように、本実施形態に係るシャワー装置においては、壁面（天井裏）に固定され往復回動運動が取り出せる駆動部（図示しない）から駆動部出力軸３が延出しており、駆動部出力軸の先端に取り付けられ、一部が切欠きのある駆動歯車２６と、吐水部４の背面側の一部に固定された従動歯車２７、によってなるリンク機構１３により、吐水部４は、壁面１５の一部に対し回動可能に保持されており、吐水部回動軸１４を中心とした往復回動運動をしながら吐水することができる。
【００３６】
駆動歯車２６の切欠面の往復回動運動の軌跡の延長線上にある空間のうち、駆動部の駆動時には  駆動歯車２６と衝突しないような位置に、規制部５が固定配置されている。
【００３７】
吐水部４は浴室壁面（天井）１５に対し、振り角の中心では概ねフラットにできるように配置される。駆動部２を停止した状態では、停止状態の吐水部４から吐水される。その状態で吐水部４の一部を押すと、所望の向きに調整して、吐水させることもできる。
吐水部４を浴室側から一定角度以上押すと、従動歯車を介して、駆動歯車２６と規制部５が衝突し、それ以上動かすことができなくなる。
【００３８】
これにより、外部から、人為的に吐水部４が動かされても、リンク機構１３を所定以上の範囲を超えて動かすことを防止でき、結果的に吐水部４を所定の角度以上は動かないようにすることができる。その結果、吐水部４と駆動部２のハウジングが衝突して駆動部２が破損するのを防止することができる。更には、駆動歯車２６と従動歯車２７のリンクが外れ、間違った位置で再びリンクされてしまい、吐水部がフラットな状態に戻らなくなるのを防ぐこともできる。
【００３９】
また、規制部５を設け、吐水部４の回動角度を制限することで、壁面１５と吐水部４との間にできる隙間は一定以上には広がらず、不本意にも指を挟み込んでしまうという事に対する安全対策としても効果的である。
【００４０】
なお、これまでと同様に、駆動部の動力源は、電気でも、流体力により得られるものでも良い。また、吐水部への湯水の供給は、可撓性のチューブや摺動性の高いパッキンを介しても良く、駆動部や駆動部出力軸を介しても良い。このとき、後者の場合は駆動部の動力源となった湯水が供給されることになる。
【００４１】
特に、駆動部出力軸が湯水の流体力により往復動する場合には、ハウジングと独立して設けられたリンク機構の規制部により、駆動部ハウジング内部の構成部材の可動範囲を制限する事ができ、ハウジング内部に過大な力がかかるのを防ぐ事ができる。これにより、駆動部のハウジングの破損を回避し、漏水や駆動部の性能低下を防止することができる。
【００４２】
次に、本発明の第５の実施形態について説明する。
図８は、本実施形態に係るシャワー装置を例示する斜視図であり、図９は本実施形態の駆動部を示した図であり、図１０はリンク機構について説明する図である。また、図１１は駆動部とリンク機構の一連の関連性を示した図である。
【００４３】
図８で示すように、本実施形態においては、浴室空間の壁面１０１に上水道（湯水）と連通接続される給水部１０２を介して給水接続されるシャワー装置１００が設置されている。
シャワー装置１００は駆動ユニット２００および吐水部４により構成され、吐水部４は駆動ユニット２００から片方に延出されているリンク出力軸１０４の下流側に設けられている。
【００４４】
駆動ユニット２００は、底板２０１ａ、側板２０１ｂ、中蓋２０４、及び天板（図示せず）を備えた円筒形の水密容器であるハウジング２０１と、駆動部２と、回転運動を往復回動運動に変換するために配した３層の歯車群からなるリンク機構２４０と、リンク出力軸１０４の可動範囲を規制するための規制部５とで構成される。ハウジング２０１の底板２０１ａには羽根車室２０２が掘り込まれており、中蓋２０４の上方に歯車室２０３が設けられている。駆動ユニット２００の駆動部２は、羽根車２１１と羽根車２１１を納めた羽根車室２０２と駆動部出力軸３とからなる。
【００４５】
図９の通り、羽根車室２０２内には、羽根車２１１が底板２０１ａに軸支されて、回転自在に設けられている。駆動部出力軸３が伸びる方向は、底板２０１ａから天板に向かう方向である。以下、本実施例においては、この方向を「軸方向Ｖ」という。羽根車２１１の中心部からは、軸方向Ｖに沿って駆動部出力軸３が延出しており、駆動部出力軸３の先端部は駆動歯車２１３となっている。なお、駆動部出力軸３は中蓋２０４を貫通しており、駆動歯車２１３は歯車室２０３内に位置している。  
【００４６】
歯車室２０３には、後述するように複数個の歯車が収納されている。いずれの歯車も、中蓋２０４に回転自在に軸支されており、その回転軸は軸方向Ｖに延びている。これらの歯車は、歯車室２０３内で３層に分かれて配置されている。最下層である第１層には、前述の駆動歯車２１３の他に、その直径が駆動歯車２１３よりも大きく、相互に同形な１対の歯車２１４及び２１５が設けられている。駆動歯車２１３は歯車２１５には接しておらず、歯車２１４のみに係合している。また、歯車２１４は歯車２１５に係合している。従って、歯車２１４と歯車２１５とは、相互に逆回転することになる。  
【００４７】
歯車２１４の中心からは軸方向Ｖに沿って軸２１６が延出しており、その先端部は歯車２１７となっている。歯車２１７の直径は歯車２１４の直径よりも小さい。同様に歯車２１５の中心からは、軸方向Ｖに沿って軸２１８が延出しており、その先端部は歯車２１９となっている。軸２１６と軸２１８とは相互に同形であり、歯車２１７と歯車２１９とは相互に同形であり、従って、歯車２１４、軸２１６及び歯車２１７が同軸に連結された部品と、歯車２１５、軸２１８及び歯車２１９が同軸に連結された部品とは、相互に同形である。  
【００４８】
歯車２１７及び２１９は、中間層である第２層に位置している。第２層には、これらの歯車２１７、及び２１９の他に、その直径がほぼ歯車２１４及び２１５の直径と等しく、相互に同形の１対の歯車２２０及び２２１が設けられている。そして、歯車２１７は歯車２２０に係合しており、歯車２１９は歯車２２１に係合している。従って、歯車２２０と歯車２２１とは、相互に逆回転する。  
【００４９】
歯車２２０の中心からは、軸方向Ｖに沿って軸２２２が延出しており、その先端部には、扇形の第一歯車２２３が取り付けられている。第一歯車２２３の半径は歯車２２０の半径よりもやや小さい。同様に、歯車２２１の中心からは、軸方向Ｖに沿って軸２２４が延出しており、その先端部には、扇形の第二歯車２２５が取り付けられている。軸２２２と軸２２４とは相互に同形であり、第二歯車２２５と第一歯車２２３とは相互に同形である。従って、歯車２２０、軸２２２及び扇形の第一歯車２２３が同軸に連結された部品と、歯車２２１、軸２２４及び扇形の第二歯車２２５が同軸に連結された部品とは、相互に同形である。  
【００５０】
ここで、第一歯車２２３と第二歯車２２５の中心角の合計は３６０度未満であり、例えば第一歯車２２３及び第二歯車２２５のそれぞれの中心角は約１３５度である。なお、扇形の第一歯車２２３及び第二歯車２２５の中心角は、駆動に求められる所望の回動角度に合わせて適宜設定すればよい。  
【００５１】
２つの扇形の第一歯車２２３及び第二歯車２２５は、最上層である第３層に位置している。第３層には、これら扇形の第一歯車２２３及び第二歯車２２５の他に、１個の円形の第三歯車２２６が設けられている。第三歯車２２６の半径は、扇形の第一歯車２２３及び第二歯車２２５の半径と等しい。ここで、扇形の第一歯車２２３及び第二歯車２２５の周縁には、第三歯車２２６と係合するための歯部２２７及び歯部２２８がそれぞれ設けられ、且つ、第三歯車２２６と係合しないための切欠部２２９及び切欠部２３０がそれぞれ設けられており、扇形の第一歯車２２３及び第二歯車２２５は、第三歯車２２６に交互に係合するように配置されている。ここで第一歯車２２３及び第二歯車２２５と第三歯車２２６の減速比は駆動に求められる所望の回動角度と合わせて設定すれば良い。  
【００５２】
第三歯車２２６のリンク出力軸１０４は内部が中空となっており、リンク出力軸１０４における第１層に位置する部分には導入口２３３が設けられている。リンク出力軸１０４の内部には、導入口２３３から外部に連通する吐水流路２３２が形成されている。一方、リンク出力軸１０４の上端部は、ハウジング２０１の天板を貫通して、ハウジング２０１の外部に突出している。これにより、歯車室２０３は、吐水流路２３２を介して、駆動ユニット２００の外部に連通される。
【００５３】
リンク出力軸１０４には規制棒２５０が固定される。ハウジング２０１の天板（図示しない）には、規制ピン２４９が固定される。規制棒２５０と規制ピン２４９とで規制部５を構成している。規制棒２５０及び規制ピン２４９は羽根車を回転させて動きを取り出す際には衝突せず、外部からの力によって、リンク出力軸が回された際に、歯車２２６と歯車２２３の歯部２２７や、歯車２２６と歯車２２５の歯部２２８とが係合しなくなるような範囲にきたときに初めて衝突するよう、配置されている。
【００５４】
このように規制部５を設けたことにより、通常の往復回動吐水の際には規制部５が衝突することなくスムーズな動きが得られるが、吐水部４を手で回されるなどした場合には、規制部５が衝突し、リンク出力軸１０４を一定角度以上回せなくすることができる。このように外部からの力が加えられた時でも、規制棒と規制ピンが衝突することで、リンクや駆動部の歯車の歯部に過度の力がかかる事を防ぐことができる。
【００５５】
また、湯水という抵抗体の中で羽根車２１１を外力により無理に動かした時の羽根への負荷を最小限に留めるという効果もある。
【００５６】
更に、規制部５を設けることで、リンクが外れた状態で吐水部４をまわしてしまい、吐水部が駆動部に対して元の位置に戻らなくなるのを防ぐこともできる。    
【００５７】
また、規制部５を駆動ユニット２００のハウジング２０１内部に設けたことで、外観上すっきりして見えるというデザイン面の利点や、規制ピンii４９と規制棒２５０の間に誤って手を挟むことが無いなどの安全面の利点も挙げられる。
【００５８】
なお、本実施形態においては、３層の歯車群からなるリンク機構２４０を有するシャワー装置を例示したが、駆動部の回転運動をリンク出力軸の往復運動に変えられ、リンク出力軸の可動範囲を規制するという要旨から逸脱しなければ、本形状に限定されない。
【００５９】
次に、本発明の第６の実施形態について説明する。
図１２は、本実施形態に係るシャワー装置を例示する斜視図である。
【００６０】
図１２で示すように、本実施形態に係るシャワー装置において、シャワーホース３１と往復回動運動を取り出すことが可能な駆動部２とがホース接合部３２によって接合されている。駆動部出力軸は駆動部から上方に延出し、その上端には吐水部４が設けられている。流体の力によって駆動部出力軸３は往復回動運動することができ、そのまま吐水部４に運ばれた湯水によって、吐水部４は往復回動運動を行いながら吐水することができる。
【００６１】
駆動部出力軸３には切欠部を有する規制ブロック３３が固定され、駆動部２のケーシングには規制ピン３４が固定されている。
駆動往復時には、規制ブロック３３と規制ピン３４は衝突しない。しかし、外部から吐水部４を回すと、規制ブロック３３と規制ピン３４とからなる規制部５が衝突し、駆動部出力軸の可動範囲を規制することができる。
【００６２】
これにより、駆動部に意図しない過大な負荷かからず、駆動部の破損を回避することができる。
【００６３】
更には、規制部を設けたことによって、駆動部を保護することができるだけでなく、意図しない方向へ水が飛散するのを防止できるという効果もある。
【００６４】
なお、本実施形態における駆動部とは、流体の力によって往復運動ができるものであればよく、回転水車（羽根車）への入水方向を切り替えるもの、水圧シリンダへの入水方向を切替るもの、水圧シリンダ内部に方向切替機構を有しているもの等、様々な形態で適用できる。
【００６５】
駆動部出力軸が、シリンダへの入水方向切替機構やシリンダ内部の方向切替機構などを有し、湯水の流体力により往復動する場合には、ハウジング外部の湯水と接しない箇所に設けられた規制部により、駆動部ハウジング内部の構成部材の可動範囲を制限する事ができ、ハウジング内部に過大な力がかかるのを防ぐ事ができる。これにより、駆動部のハウジングの破損を回避し、漏水や駆動部の性能低下を防止することができる。
【００６６】
また、駆動部が回転水車（羽根車）への入水方向を切り替えるものであった場合には、駆動部出力軸の規制部を設けることにより、湯水という抵抗体の中で無理に動かされることによる羽根への負荷、を最小限に留めることができる。
【００６７】
次に、本発明の第７の実施形態について説明する。
図１３は、本実施形態に係るシャワー装置を例示する側面図である。
【００６８】
図１３で示すように、本実施形態に係るシャワー装置において、浴室の壁裏に設けられ直線的な往復動が取り出せる駆動部２の両側に駆動部出力軸３が延出しており、駆動部出力軸の第１の先端に取り付けられた係合フック２１と、吐水部４の背面側の一部に固定された係合ピン１２によってなるリンク機構１３により、駆動部２の動きが吐水部４へと伝えられる。吐水部４は、壁面１５の一部に対し回動可能に保持されており、吐水部回動軸１４を中心とした往復回動運動をしながら吐水することができる。
【００６９】
駆動部出力軸の第２の先端には、駆動ストロークより長く切り抜かれた規制穴３６が設けられ、壁面裏側の空間に設けられた規制ピン３４と係合されている。規制部５は規制穴２６と規制ピン３４とを備えている。
【００７０】
吐水部４は浴室壁面１５に対し、振り角の中心では概ねフラットにできるように配置される。駆動部２を停止した状態では、停止状態の吐水部４から吐水される。その状態で吐水部４の一部を押すと、所望の向きに調整して、吐水させることもできる。
駆動時には規制穴３６と規制ピン３４は衝突しないが、吐水部５を浴室前面から一定角度以上押すと、規制ピン３４と、規制穴３６とが衝突し、吐水部４をそれ以上回すことができなくなる。
【００７１】
これにより、外部から、人為的に吐水部４が動かされても、所定以上の範囲を超えて駆動部出力軸３が動くことを防止でき、結果的に、リンク機構や吐水部４を所定量以上動かないようにすることができる。その結果、吐水部４と駆動部出力軸３の衝突により、出力軸３が破損するのを回避でき、長寿命化が期待できる。
【００７２】
なお、駆動軸に規制部５を設けることで、規制部５は駆動部出力軸３のガイドとしても働き、通常の駆動時に軸ブレ等を抑え、より安定的な駆動を実現できるという効果もある。
【００７３】
なお、本実施例中においては、規制部５は長方形に開けられた規制穴３６および円筒形の規制ピン３４を例示したが、駆動時の往復動を妨げず、駆動部出力軸３の可動範囲を制限できるものであれば、この形状に限定されない。
【００７４】
さらに、本実施例中では、駆動部出力軸３が上下に延出したものを例示したが、上下、左右、斜め、前後どのような方向に延出していても、リンク機構により、散水板の回動の動きに変換できれば、その延出方向は限定されない。また、出力軸３が両側に延出したものを例示したが、片側のみに延出させて、片軸上に規制穴３６および係合フック２１の両方を配置していても良い。
さらにまた、吐水部４の回動方向も上下に往復するものを例示したが、左右や斜め方向に往復回動するよう設置しても同様である。
【００７５】
なお、これまでと同様に、駆動部の動力源は、往復運動を行えれば、電気でも、水流により得られるものでも良い。また、吐水部への湯水の供給は、可撓性のチューブや摺動性の高いパッキンを介しても良く、駆動部や駆動部出力軸を介しても良い。このとき、後者の場合は駆動部の動力源となった湯水が供給されることになる。
【００７６】
特に、駆動部出力軸が湯水の流体力により往復動する場合には、ハウジングと独立して設けられた駆動部出力軸の規制部により、駆動部ハウジング内部の構成部材の可動範囲を制限する事ができ、ハウジング内部に過大な力がかかるのを防ぐ事ができる。これにより、駆動部のハウジングの破損を回避し、漏水や駆動部の性能低下を防止することができる。
【００７７】
次に、本発明の第８の実施形態について説明する。
図１４は、本実施形態に係るシャワー装置を例示する側面図であり、図１５は駆動部２内部の断面図である。図１５（ａ）は駆動部出力軸が上昇していく時の一瞬の様子、（ｂ）は制御機構が働きはじめた状態、（ｃ）は出力軸及び中子の移動方向が上昇から下降へと変化する直前の様子、を表したものである。図１６は、外部から、駆動部出力軸の上昇方向に力が加えられた時の駆動部内部の様子を表したものである。
【００７８】
図１４で示すように、本実施形態に係るシャワー装置は、図５、図６、図１３等と同様に、駆動部出力軸３の直線的な往復の動きは、リンク機構１３を介して吐水部４の往復回動運動に変換される。吐水部４は往復回動運動を行いながら吐水することができる。
駆動部２内部は図１５（ａ）のようになっている。入水部４１が結合されたシリンダ４２や、シリンダ４２の上下に配置されたシリンダ蓋４３、摺動パッキン５１、パッキンおさえ５２等により駆動部２のハウジングが構成される。ハウジング内部は、移動可能な中子４４によって２つの圧力室に分割される。中子の上下に駆動部出力軸３が配置され、ハウジング外部に延出している。中子４４の一部には略円形の穴が開けられ、上下方向に移動可能なように弁体４５が嵌められている。弁体４５の上下にバネＡ４６及びバネＢ４７が取り付けられており、これら二つのバネからなる制御手段４８は、中子４４と弁体４５の間にできる導入口４８の開度を変更する働きを持つ。中子４４の中央部付近には、より水密を確保し、寸法誤差やゴミ噛みの影響を吸収するための摺動材５０が嵌められている。シリンダ蓋４３の内側には出力軸に沿って内側に延びるような形で規制部５が設けられている。なお規制部５は軸のガイドを兼ねることもできる。
【００７９】
入水部４１から入水した湯水は分岐され、ふたつの圧力室に投入される。図１５（ａ）のように上側の導入口が開いた状態では、上側の圧力室に投入された湯水は、導入口を通過し、中子４４内部のバッファを経て、駆動部出力軸３片側の内部に開けられた流路を通って吐水部４へつながる流路へ導かれ、外部へ吐水される。一方、下側の圧力室に投入された湯水は、下側の圧力室で体積を増し、中子を動かす。
【００８０】
図１５は中子４４及び駆動部出力軸３が上昇する時の内部の状態を示したものである。（ａ）のように、導入口４９の上側が開いた状態では、中子４４の上下で圧力差が生じ上向きの推進力がはたらくため、中子４４及び駆動部出力軸３は上昇する。（ｂ）のようにバネＡ４６がシリンダ蓋４３に衝突すると、バネＡ４６は反転のための圧縮力を貯え（ｃ）の状態となる。（ｂ）から（ｃ）となるまでにバネＡ４６に貯えられた圧縮力によって、弁体４５が動き、導入口の開度が変更される。これにより、中子４４及び駆動部出力軸３は下降を開始する。
【００８１】
図１５（ｃ）のとき、中子４４と規制部５の間には十分な隙間があり、衝突することはなく、通常の駆動状態ではスムーズな往復動作を実現することができる。
一方で、散水板を手で押すなどして、外部から駆動部に対し、例えば上向きの力が加えられると、図１６のような状態となり、中子４４と規制部５が衝突する。ここで衝突させることで、バネＡ４６をこれ以上圧縮させることがないため、バネＡ４６に必要以上の負荷がかからない。したがって、バネを確実に弾性域内で使用させることができ、バネのヘタリを防止することができる。また、駆動部内部で可動範囲を規制することで、他の実施例と同様に、吐水部４やリンク機構１３の可動範囲を規制することにつながり、駆動部出力軸３等の破損も防ぐことができる。
【００８２】
なお、規制部を出力軸３のガイドとすることで、通常駆動時の軸ブレを最小限に抑えることができ、より安定的な動きを得られるという効果もある。
【００８３】
なお、本実施例中では、規制部５をシリンダ蓋４３の内側に設け、中子と衝突させることによって、駆動部出力軸の可動範囲を規制したが、規制部を中子側に設け、蓋と衝突させることによって、可動範囲を規制しても良い。 また、規制部の形や位置は本実施例に限定されることはなく、円筒形状でなくても、駆動軸周りに設けなくてもよい。たとえば、円柱や角柱、球、突起状のものなど、中子とシリンダ蓋の距離をある規定値以上に近づけないための凸形状のものが、上下の圧力室の空間内のどこかにそれぞれ設けられていればよい。 
【００８４】
さらに、吐水部の形状、リンク機構、駆動軸、等その他の形状や方向等に関しては、その効果が同等であれば、他の実施例と同様に、本実施例の形状に限定されるものではない。
【００８５】
さらに、駆動部２で使用された湯水を吐水に用いても用いなくてもよく、また駆動部で用いていない湯水と混合して吐水させてもよく、その後の利用形態は問わない。
【００８６】
次に本実施形態の変形例について説明する。
【００８７】
図１７は第８の実施形態の第１変形例であり、規制部５をシリンダ蓋４３側でなく、弁体４５に設けたものである。規制部を弁体４５の上下に、バネＡ４６やバネＢ４７とは干渉しないように設けた。
【００８８】
通常の往復動の際には、バネが圧縮されても、規制部５とシリンダ蓋４３とが衝突することはないが、外部からの力が加えられた際には、規制部５とシリンダ蓋４３とが衝突し、バネの変形量や駆動部出力軸３の可動範囲を制限することができる。これにより、同様にバネのヘタリを防止したり、出力軸３等の破損を防止したりすることができる。
なお、規制部５は弁体側に設けた例を示したが、シリンダ蓋４３側のばね衝突部の内側に相当する箇所に凸部を設けても同様の効果が得られる。
【００８９】
図１８は第８の実施形態の第２変形例、図１９は第７の実施形態の第３変形例である。
図１８はシリンダ蓋４３のばね衝突部にばねの衝突範囲より大きく、弁体４５よりも小さい大きさの凹部５４を設けたものである。図１９は弁体４５の弁体設置位置に凹部５５を設け、その凹部にばねを設けたものである。これらはいずれも、往復駆動時には、バネが圧縮しても弁体４５とシリンダ蓋４３は衝突しないが、外部からの力が加えられたりした場合には弁体４５とシリンダ蓋４３が衝突し、バネの変形量や駆動部出力軸３の可動範囲を制限することができる。これにより、第７実施形態の他の例と同様にバネのヘタリを防止したり、出力軸３等の破損を防止したりすることができる。
【００９０】
なお、第８の実施形態の各実施例中で、バネは弁体４５に設けられているが、シリンダ蓋４３に設けてもよい。 制御手段４８も円筒形のコイルばねに限定されず、板バネや円錐ばね、その他あらゆる弾性部材を用いる事ができる。 その際、規制部５を設けることで弾性部材が塑性変形をおこしたり、耐久性能を悪化させたりすることを防ぐこともできる。 そうすることで、リンク機構１３が外れたりして壊れる危険性も回避しつつ、駆動部２そのものの性能を長期間にわたって維持することができる。 
円筒形のコイルばねにおいては、バネが自然長から密着高さに至るまでを総圧縮量としたとき、総圧縮量の８割以上縮む前に規制してあげるのが、より望ましく、耐久性能の向上にもつながる。 
【００９１】
また、第８の実施形態の各実施例中では、制御手段４８にばねを用いたものを示したが、弁体４５とシリンダ蓋４３の距離が近づくことによって、反発力が増すものであれば、 バネに限定されず、例えば、弁体４５とシリンダ蓋４３に磁石等を設け、反発力を利用しても良い。 磁石を用いた場合には近づきすぎると反発力が強くなりすぎて、主弁が進行方向と垂直成分の方向へ逃げようとし、主弁の摩耗等の懸念が増すという観点からも、規制部を設けることによって、より耐久性能を維持することができる。 
【００９２】
また、第８の実施形態の各実施例において、シリンダ蓋４３とシリンダ４２は別部材としているが、水密構造のハウジングを形成し、制御機構が働きうる同様の役割を果たす構造を有しているものであれば、これに限定されない。また、シリンダ蓋４３の内壁に別部材を設け、制御機構を働かせるようにしても、同様のものとみなすことができる。
【００９３】
なお、本明細書中において、本シャワー装置が設置される浴室とは家庭用の浴室に限定されず、キャビン、シャワールームや、公共の入浴施設、プールなど、湯水を吐水し、かつ吐水部に外力がかかりうる環境すべてを含むものとする。
また、本実施例中の壁面とは、側面のみならず、天井や床面など、固定可能な空間を構成するものであればよく、壁面のような役割を果たすシステムの一部も含まれる。
【００９４】
以上、本発明の実施形態及びその変形例を図面を参照しつつ説明した。しかし、本発明は、これらの実施形態及び変形例に限定されるものではない。すなわち、上術の実施形態又は変形例に係るシャワー装置を構成するいずれかの要素について、当業者が設計変更を加えたものであっても、本発明の要旨を備えたものであれば、本発明の範囲に包含される。例えば、駆動部、リンク機構、もしくは吐水ノズルの外形、構成部品の形状もしくは配置、又は移動のストロークもしくは回動角度などについて、当業者が適宜設計変更を加えたものであっても、本発明の要旨を含む限り、本発明の範囲に含まれる。
【図面の簡単な説明】
【００９５】
【図１】本発明の第１の実施形態に係るシャワー装置を例示する斜視図である。
【図２】（ａ）（ｂ）  第１の実施形態の吐水部の往復動及び規制部の役割を説明するための模式図である。
【図３】第１の実施形態の第１の変形例を示すための模式図である。
【図４】第１の実施形態の第２の変形例を示すための模式図である。
【図５】本発明の第２の実施形態に係るシャワー装置を例示する側面図である。
【図６】本発明の第３の実施形態に係るシャワー装置を例示する側面図である。
【図７】本発明の第４の実施形態に係るシャワー装置を例示する側面図である。
【図８】本発明の第５の実施形態に係るシャワー装置を例示する斜視図である。
【図９】第５の実施形態の駆動部の働きを説明する図である。
【図１０】第５の実施形態のリンク機構の働きを説明する図である。
【図１１】第５の実施形態の駆動部とリンク機構の関連性を説明する図である。
【図１２】本発明の第６の実施形態に係るシャワー装置を例示する斜視図である。
【図１３】本発明の第７の実施形態に係るシャワー装置を例示する側面図である。
【図１４】本発明の第８の実施形態に係るシャワー装置を例示する側面図である。
【図１５】第８の実施形態の上昇時の駆動部内部の断面図である。
【図１６】第８の実施形態において、外部から上向きの力が加えられた際の駆動部内部の状態を示す断面図である。
【図１７】第８の実施形態の第１の変形例を示すための模式図である。
【図１８】第８の実施形態の第２の変形例を示すための模式図である。
【図１９】第８の実施形態の第３の変形例を示すための模式図である。
【符号の説明】
【００９６】
１、１０、２０、２５、３０、３５、４０、１００…  シャワー装置
２…  駆動部
３…  駆動部出力軸
４…  吐水部
５…  規制部
６…  収納カバー
１１…  係合穴
１２…  係合ピン
１３…  リンク機構
１４…  吐水部回動軸
１５、１０１…  壁面
２１…  係合フック
２６…  駆動歯車
２７…  従動歯車
３１…  シャワーホース
３２…  ホース接合部
３３…  規制フック
３４…  規制ピン
３６…  規制穴
４１…  入水部
４２…  シリンダ
４３…  シリンダ蓋
４４…  中子
４５…  弁体
４６…  バネＡ
４７…  バネＢ
４８…  制御手段
４９…  導入口
５０…  摺動材
５１…  摺動パッキン
５２…  パッキンおさえ
５３…  タッピンネジ
５４…  シリンダ凹部
５５…  主弁凹部
１０２…  給水部
１０４…  リンク出力軸
２００…  駆動ユニット
２０１…  ハウジング
２０１ａ…  底板
２０１ｂ…  側板
２０２…  羽根車室
２０３…  歯車室
２０４…  中蓋
２１１…  羽根車
２１３…  駆動歯車
２１４、２１５、２１７、２１９、２２０、２２１、２２３、２２５、２２６…  歯車
２１６、２１８、２２２、２２４…  軸
２２７、２２８…  歯部
２２９、２３０…  切欠部
２３２…  吐水流路
２３３…  導入口
２４０…  リンク機構
２４９…  規制ピン
２５０…規制棒
【図１】
2010167166.tif 000003
【図２】
2010167166.tif 000004
【図３】
2010167166.tif 000005
【図４】
2010167166.tif 000006
【図５】
2010167166.tif 000007
【図６】
2010167166.tif 000008
【図７】
2010167166.tif 000009
【図８】
2010167166.tif 000010
【図９】
2010167166.tif 000011
【図１０】
2010167166.tif 000012
【図１１】
2010167166.tif 000013
【図１２】
2010167166.tif 000014
【図１３】
2010167166.tif 000015
【図１４】
2010167166.tif 000016
【図１５】
2010167166.tif 000017
【図１６】
2010167166.tif 000018
【図１７】
2010167166.tif 000019
【図１８】
2010167166.tif 000020
【図１９】
2010167166.tif 000021